(57)【要約】【課題】被収納物が収納された状態で見栄え及び防犯性を向上できるとともに、設置作業の容易化を図れる屋外用収納棚を提供することである。【解決手段】屋外用収納棚１０は、玄関先の屋外に設置される屋外用収納棚であって、複数の直線部を含んで形成される直方体状の枠体１２と、枠体１２の上下方向複数位置に配置される複数の棚板３０と、枠体１２の互いに反対側の２つの側方を覆う２つの化粧パネル４０と、を含む。２つの化粧パネル４０のそれぞれは、枠体１２に着脱可能に取り付けられている。【選択図】図１Ａ
2020195495.tif 000002
【特許請求の範囲】
【請求項１】
玄関先の屋外に設置される屋外用収納棚であって、
複数の直線部を含んで形成される直方体状の枠体と、
前記枠体の上下方向複数位置に配置される複数の棚板と、
前記枠体の互いに反対側の２つの側方を覆う２つの化粧パネルと、を備え、
前記２つの化粧パネルのそれぞれは、前記枠体に着脱可能に取り付けられている、
屋外用収納棚。
【請求項２】
請求項１に記載の屋外用収納棚において、
少なくとも１つの前記化粧パネルは、前記枠体に設けられ上端が開口する受け部と、前記化粧パネルに設けられ、前記受け部に係合する係止部とにより、前記枠体に取り付けられている、
屋外用収納棚。
【請求項３】
請求項１または請求項２に記載の屋外用収納棚において、
少なくとも１つの前記化粧パネルは、脱落防止用のロック部材により前記枠体に固定されている、
屋外用収納棚。
【請求項４】
請求項１から請求項３のいずれか１項に記載の屋外用収納棚において、
少なくとも１つの前記化粧パネルは格子状である、
屋外用収納棚。
【請求項５】
請求項１から請求項４のいずれか１項に記載の屋外用収納棚において、
少なくとも１つの前記化粧パネルは、複数の板状部材が、ベース部材に対し角度変更可能に取り付けられており、少なくとも１つの前記板状部材における前記ベース部材に対する取り付け角度を変更することにより、内部の見え方を調整可能である、
屋外用収納棚。
【請求項６】
請求項１または請求項２に記載の屋外用収納棚において、
少なくとも１つの前記化粧パネルが前記枠体に対しスライド可能に取り付けられている、
屋外用収納棚。
【発明の詳細な説明】
【技術分野】
【０００１】
本開示は、玄関先の屋外に設置される屋外用収納棚に関する。
【背景技術】
【０００２】
従来から、特許文献１に記載されているように、住宅の玄関先に設置される収容ボックス付き支柱が記載されている。この支柱は、２つの板状の柱部が直交するように連結され、その上端と下側とに天板及びベース部が連結されている。そして、２つの柱部に挟まれるようにハウジング、郵便ポスト、宅配ボックスが上下に並んで支持されている。支柱は下端部が地中に埋設されている。
【先行技術文献】
【特許文献】
【０００３】
【特許文献１】特開２０１９−０００３２５号公報
【発明の概要】
【発明が解決しようとする課題】
【０００４】
特許文献１に記載された構成では、前側と側方との連続する２方向が開放されており、支柱に支持されたハウジング、郵便ポスト、及び宅配ボックスの前面とともに側面が見えやすい。このため、見栄えが悪く、かつ防犯性を向上する面から改良の余地がある。また、支柱全体が大型であり運搬性が悪いので、設置作業が困難である。
【０００５】
本開示の目的は、被収納物が収納された状態で見栄え及び防犯性を向上できるとともに、設置作業の容易化を図れる屋外用収納棚を提供することである。
【課題を解決するための手段】
【０００６】
本開示の屋外用収納棚は、玄関先の屋外に設置される屋外用収納棚であって、複数の直線部を含んで形成される直方体状の枠体と、枠体の上下方向複数位置に配置される複数の棚板と、枠体の互いに反対側の２つの側方を覆う２つの化粧パネルと、を備え、２つの化粧パネルのそれぞれは、枠体に着脱可能に取り付けられている、屋外用収納棚である。
【発明の効果】
【０００７】
本開示に係る屋外用収納棚によれば、複数の棚板に複数の被収納物が置かれるように収納された状態において、側方が開放されないので、被収納物の前面に連続する側面を見えにくくできる。これにより、見栄え及び防犯性を向上できる。さらに、収納棚の設置場所に枠体と各化粧パネルとを別体で運搬し、その場所で枠体に化粧パネルを取り付けることができるので、運搬性を良好にできることにより収納棚の設置作業の容易化を図れる。
【図面の簡単な説明】
【０００８】
【図１Ａ】実施形態の屋外用収納棚を示す斜視図である。
【図１Ｂ】化粧パネルを省略して示している図１ＡのＡ部拡大図である。
【図１Ｃ】化粧パネルを省略して示している図１ＡのＣ部拡大図である。
【図２】図１Ａから化粧パネルを取り出して示す斜視図である。
【図３】（ａ）は化粧パネルを図２とは反対側から見た斜視図であり、（ｂ）は枠体に固定された枠体レールと、化粧パネルに固定された引っ掛け金具とを係合させる直前状態を示す斜視図である。
【図４Ａ】枠体レールと引っ掛け金具とを係合させた状態を示す斜視図である。
【図４Ｂ】枠体レールと引っ掛け金具との係合部の別例を示している図４ＡのＡ−Ａ断面に対応する図である。
【図５Ａ】枠体レールに引っ掛け金具を固定するためのロック部材と枠体レールとを分離して示す斜視図である。
【図５Ｂ】図５Ａのロック部材によって枠体レールに引っ掛け金具が固定された状態を示している図４Ｂに対応する図である。
【図６】（ａ）は、別例のロック部材によって枠体レールに引っ掛け金具が固定された状態を示している図４Ｂに対応する図であり、（ｂ）はロック部材を示す斜視図である。
【図７】（ａ）は、別例のロック部材によって枠体レールに引っ掛け金具が固定された状態を示している図４Ｂに対応する図であり、（ｂ）はロック部材を示す斜視図である。
【図８】別例の２例の化粧パネルを示す斜視図である。
【図９】複数の収納棚を連結する状態の１例において、化粧パネルを省略して示す斜視図である。
【図１０】２つの収納棚を連結して、玄関先の屋外に設置した状態の１例を示す斜視図である。
【図１１】２つの収納棚を連結して、玄関先の屋外に設置した状態の別例を示す斜視図である。
【図１２】２つの収納棚を連結して、玄関先の屋外に設置した状態の別例を示す斜視図である。
【図１３】（ａ）は別例の化粧パネルを示す斜視図であり、（ｂ）は（ａ）のＤ部拡大図である。
【図１４】図１３の化粧パネルにおいて、ベース部材に対する板状部材の取り付け角度を変更した状態を示している図１３（ｂ）に対応する図である。
【図１５】実施形態の別例の屋外用収納棚を示す斜視図である。
【図１６】図１５の収納棚において、枠体に対し引っ掛け金具をスライドさせる構造の１例を示す拡大斜視図である。
【発明を実施するための形態】
【０００９】
以下、図面を用いて本開示の実施形態を説明する。以下で説明する形状、材料及び個数は、説明のための例示であって、屋外用収納棚の仕様に応じて適宜変更することができる。以下ではすべての図面において同等の要素には同一の符号を付して説明する。また、本文中の説明においては、必要に応じてそれ以前に述べた符号を用いるものとする。
【００１０】
図１Ａは、実施形態の屋外用収納棚１０を示す斜視図である。図１Ｂは、化粧パネル４０を省略して示している図１ＡのＡ部拡大図であり、図１Ｃは、同じく図１ＡのＣ部拡大図である。図２は、図１Ａから化粧パネル４０を取り出して示す斜視図である。図３（ａ）は化粧パネル４０を図２とは反対側から見た斜視図であり、図３（ｂ）は枠体１２に固定された枠体レール２０と、化粧パネル４０に固定された引っ掛け金具４６とを係合させる直前状態を示す斜視図である。図４Ａは、枠体レール２０と引っ掛け金具４６とを係合させた状態を示す斜視図である。
【００１１】
屋外用収納棚１０は、住宅等の建物１００（図１０）の玄関先の屋外に設置される。後述の図１０を参照して、屋外用収納棚１０は、玄関先の壁１０１ａ，１０１ｂに近接して設置したり、玄関の扉１０２の前側を挟んで壁１０３と対向するように設置したり（図１１参照）、扉１０２の前側を塞ぐように扉１０２に対向して設置することができる（図１２参照）。以下では屋外用収納棚１０を収納棚１０と記載する場合がある。また、以下では、収納棚１０の被収納物の取り出し方向であり開口がある前側をＦ、その反対側である後側をＢで示し、前側Ｆから見た右側、左側をＲ，Ｌで示す場合がある。
【００１２】
収納棚１０には、例えば被収納物として、郵便ポスト、宅配ボックス１０４（図１０参照）や、食材宅配コンテナ１０５（図１５参照）、またはインターフォン、照明器具等が収納される。宅配ボックス１０４は、略直方体状であり、宅配荷物を無人で受け取り可能である。宅配ボックス１０４は、宅配業者が内部の荷物室に荷物を入れた状態で扉が施錠される。収納棚１０を所有する等の、建物の住人である荷物の受取人は、宅配ボックス１０４の扉に配置された鍵穴部に鍵を入れて解錠することで、扉を開放し、荷物を取り出すことが可能である。
【００１３】
図１Ａに示すように、収納棚１０は、枠体１２と、複数の棚板３０と、３つの化粧パネル４０とを含んで構成される。枠体１２は、複数の直線部を含んで形成される直方体状である。具体的には、枠体１２は、四隅に配置された４本の上下方向に延びる柱部１４と、４本の柱部１４の上下方向の２つの位置を連結し水平方向に延びる複数の連結部１８とを有する。柱部１４及び連結部１８は直線部に相当する。図１Ｂに示すように柱部１４は、上下方向に長尺な直方体の長手方向に沿う中心軸周りの４つの側面のそれぞれの幅方向中央に、上下方向に延びる溝１４ａ、１４ｂ、１４ｃ、１４ｄが形成されている。連結部１８は、水平方向に長尺な直方体の長手方向に沿う中心軸周りの４つの側面のそれぞれの幅方向中央に、水平方向に延びる溝１８ａ、１８ｂ、１８ｃが形成されている。図１Ｂでは連結部１８の下端の溝の図示を省略している。
【００１４】
図１の上側の４本の連結部１８は、４本の柱部１４の上端部を枠状に連結している。下側の４本の連結部１８は、４本の柱部１４の下端部を枠状に連結している。これにより、枠体１２は直方体の各辺からなるような形状となっている。柱部１４及び連結部１８は、それぞれ鉄、アルミニウム合金等の金属により形成される。枠体１２の軽量化と強度確保を図る面からは枠体１２の各部はアルミニウム合金等の軽量な金属により形成することが好ましい。連結部１８及び柱部１４は、断面形状が同じで全長のみが異なるものを使用してもよい。枠体１２の下端の四隅には、脚部９０が連結される。
【００１５】
枠体１２の右側Ｒ端、左側Ｌ端、後側Ｂ端のそれぞれの上下方向２つの位置の外側には、図１Ｃに示すように水平方向に延びる枠体レール２０が固定される。枠体レール２０は、水平方向に長尺な直方体の長手方向に沿う中心軸周りの４つの側面のそれぞれの幅方向中央に、水平方向に延びる溝２０ａ、２０ｂ、２０ｃ、２０ｄが形成されている。枠体レール２０は、枠体１２の各連結部１８と同じ形状の部材、または全長のみが異なる形状の部材を用いてもよい。これにより、枠体１２の上端には上端が開口する溝２０ａが水平方向に全長にわたって延びるように形成される。枠体レール２０は、後述のように化粧パネル４０を取り付けるために利用される受け部に相当する。
【００１６】
図１Ａでは２つの棚板３０が枠体１２の内側の上下方向に離れた２つの位置に固定するように配置される。棚板３０は２つに限定せず３つ以上としてもよい。棚板３０には被収納物が設置可能である。棚板３０は、鉄、アルミニウム合金等の金属により形成される。
【００１７】
３つの化粧パネル４０は、収納棚１０の互いに反対側の右側Ｒ、左側Ｌの２つの側方と後側Ｂとの３方向を覆っている。このとき、後側Ｂを覆う化粧パネルを省略することもできる。
【００１８】
３つの化粧パネル４０の構成は、同様であるので、一方側の側方である右側Ｒを覆う化粧パネル４０で代表して説明する。図２、図３に示すように、化粧パネルは、格子状である。具体的には、化粧パネル４０は、上下両端に配置されて横方向に延びる２つの支持部４２と、２つの支持部４２の外側に連結された複数の格子要素４４とを有する。なお、図３（ａ）では、上下両端の支持部の図示を省略している。格子要素４４は、上下方向に延びる断面矩形の柱状であり、複数の格子要素４４は、略等間隔で平行に配置される。
【００１９】
２つの支持部４２の間の上下に離れた２つの位置には、２つの引っ掛け金具４６が複数の格子要素４４の内側（図３（ａ）の右側）に固定される。２つの引っ掛け金具４６は、横方向に延びている。図３に示すように、引っ掛け金具４６は互いに平行で上下方向に延びる２つの板部４７，４８と、２つの板部４７，４８の上端を、各板部４７，４８に対し直交する方向に連結する上端板部４９とを有し、全体の断面形状が、Ｕ字形の一方の直線部が他方の直線部より短くなった形状である。このため、一方の板部４７は他方の板部４８より上下方向長さが短い。他方の板部４８は、複数の格子要素４４の内側面（図３（ａ）の右側面）に固定される。引っ掛け金具４６は、化粧パネル４０に設けられた係止部に相当し、枠体１２に固定された枠体レール２０の上端部に係合する。
【００２０】
具体的には、図４Ａに示すように、引っ掛け金具４６の上端板部４９が枠体レール２０の上面に載り、一方の板部４７が枠体レール２０の上端の溝２０ａに嵌合するように挿入されて、引っ掛け金具４６が枠体レール２０に引っ掛けられる。これにより、化粧パネル４０が、枠体１２に容易に取り付けられる。引っ掛け金具４６は、化粧パネル４０の他の部材とともに上側に持ち上げることで、引っ掛け金具４６を枠体レール２０の溝２０ａから引き抜くことができる。これにより、枠体１２からの化粧パネル４０の取り外し作業の容易化を図れる。このため、化粧パネル４０は、枠体１２に着脱可能に取り付けられる。
【００２１】
枠体１２の左側Ｌ、右側Ｒ、後側Ｂの端に化粧パネル４０を取り付けることで図１Ａのように三方が覆われた収納棚１０が形成される。
【００２２】
上記の収納棚１０によれば、複数の棚板３０に複数の被収納物が置かれるように収納された状態において、左側Ｌ、右側Ｒの側方が開放されないので、被収納物の前面に連続する側面を見えにくくできる。これにより、見栄え及び防犯性を向上できる。さらに、枠体１２に化粧パネル４０が着脱可能に取り付けられるので、収納棚１０の設置場所に枠体１２と各化粧パネル４０とを別体で運搬し、その場所で枠体１２に化粧パネル４０を取り付けることができる。これにより、運搬性を良好にできることにより収納棚１０の設置作業の容易化を図れる。
【００２３】
さらに、各化粧パネル４０が格子状であるので、風が当たっても風の多くを格子要素間の隙間を通じて収納棚を通過させることができる。これにより、風による収納棚の転倒の可能性を低くできる。
【００２４】
なお、図１Ｂと異なり、上側、下側のそれぞれの連結部１８のみで矩形の枠を形成し、柱部１４の上端及び下端をそれぞれの枠の下端及び上端に連結することで枠体を形成してもよい。
【００２５】
図４Ｂは、枠体レール２０と引っ掛け金具４６ａとの係合部の別例を示している図４ＡのＡ−Ａ断面に対応する図である。本例の場合には、図４Ａの場合より引っ掛け金具４６ａの板厚を小さくし、枠体レール２０の化粧パネル４０側の上端部における角部２１に嵌合させ、その状態で一方の板部４７を溝２０ａに挿入している。この状態で引っ掛け金具４６の上側から枠体レール２０の角部２１にネジ２４をねじ込むことにより、化粧パネル４０が枠体１２に固定されている。ネジ２４は、化粧パネル４０の脱落防止用のロック部材である。ネジ２４は、引っ掛け金具４６の長手方向複数位置の上側から枠体レール２０にねじ込んで結合してもよい。これにより、化粧パネル４０が枠体１２から脱落することを防止できる。さらに、ネジ２４を枠体レール２０から取り外すことで枠体１２から化粧パネル４０を容易に取り外すことができる。
【００２６】
図５Ａは、枠体レール２０に引っ掛け金具４６ａを固定するためのロック部材５０と枠体レール２０とを分離して示す斜視図である。図５Ｂは、図５Ａのロック部材５０によって枠体レール２０に引っ掛け金具４６ａが固定された状態を示している図４Ｂに対応する図である。本例の場合には、ロック部材５０は、水平方向に長尺な溝カバー５１と、２つのファスナー部材５５とから形成される。
【００２７】
溝カバー５１は長尺な天板部５２の幅方向両端の下側に２つの脚板部５３が連結され、２つの脚板部５３は図５Ａの分離状態で下側部分において下端に向かって間隔が広がるように傾斜している。溝カバー５１は、枠体レール２０の上端の溝２０ａの長さとほぼ同じ長さか少し短くしてもよい。ファスナー部材５５は、断面が、上端で開口したＵ字形のクリップ状であり、両側の脚部５６の板厚が上下方向中間部で大きくなっている。溝カバー５１及びファスナー部材５５は、樹脂等により形成される。図５Ｂのように引っ掛け金具４６ａを枠体レール２０の角部２１ａに嵌合させた状態で上端の溝２０ａの長手方向２つの位置にファスナー部材５５を挿入し、その上側から溝カバー５１を組み付けることにより、化粧パネル４０が枠体１２（図１）から脱落することを防止できる。なお、図５Ｂのように枠体レール２０の４つの角部２１ａ、２１ｂ、２１ｃ、２１ｄと中心部とには貫通穴２２，２３を形成し軽量化を図っている。貫通穴２２，２３は、上記の各例の枠体レール２０（図１Ｃ、図４Ｂ）に形成してもよい。本例においてその他の構成及び作用は、図１〜図４Ａまたは図４Ｂと同様である。
【００２８】
図６（ａ）は、別例の第１例のロック部材６０によって枠体レール２０に引っ掛け金具４６ａが固定された状態を示している図４Ｂに対応する図であり、図６（ｂ）はロック部材６０を示す斜視図である。本例の場合、枠体レール２０の上端の溝２０ａの下端部の幅方向（図６の左右方向）両端には、溝２０ａの全長にわたって係止溝２５が形成される。図６（ｂ）のようにロック部材６０は、上端に頭部６１ａを有するネジ６１と、ネジ６１の下側のネジ軸６１ｂの下端部にネジ結合された長方形の板部６２とを有する。頭部６１ａは円板部の下側にそれより小径の円柱部が連結される。図６（ａ）のように引っ掛け金具４６ａを枠体レール２０の角部２１に嵌合させた状態で、ロック部材６０を板部６２の長手方向が溝部２０ａの長手方向に沿うように挿入し、その状態でロック部材６０を９０度回転させることで板部６２の長手方向両端が係止溝２５に係止される。この状態でロック部材６０の上端の円板部は引っ掛け金具４６の上端面に押し付けられることで、引っ掛け金具４６が枠体レール２０の溝２０ａから抜け出ることが防止される。これにより、枠体レール２０に引っ掛け金具４６が固定される。ロック部材６０は、溝２０ａの長手方向複数位置に配置され、それぞれのロック部材６０で引っ掛け金具４６が枠体レール２０に固定されてもよい。
【００２９】
図７（ａ）は、別例の第２例のロック部材６５によって枠体レール２０に引っ掛け金具４６ａが固定された状態を示している図４Ｂに対応する図であり、図７（ｂ）はロック部材６５を示す斜視図である。本例の場合、図６の構成と異なり、ロック部材６５は、頭部６６の下端に軸部６７が固定され、その軸部６７に直交するように係止棒６８が貫通固定された回転体である。頭部６６は、円板部の下端にそれより小径の円柱部が一体に結合される。図７（ａ）のように引っ掛け金具４６ａを枠体レール２０の角部２１に嵌合させた状態で、ロック部材６５を係止棒６８の長手方向が溝部２０ａの長手方向に沿うように挿入し、その状態でロック部材６５を９０度回転させることで係止棒６８の長手方向両端が溝２０ａの係止溝２５に係止される。枠体レール２０の形状は、図６と同様である。この状態でロック部材６５の上端の円板部は引っ掛け金具４６ａの上端面に微小隙間を介して対向することで、引っ掛け金具４６ａが枠体レール２０の溝２０ａから抜け出ることが防止される。ロック部材６５の円板部は引っ掛け金具４６ａの上端面に押し付けてもよい。これにより、枠体レール２０に引っ掛け金具４６ａが固定される。ロック部材６５は、溝２０ａの長手方向複数位置に配置され、それぞれのロック部材６５で引っ掛け金具４６ａが枠体レール２０に固定されてもよい。
【００３０】
図６、図７の各構成によれば、ロック部材６０，６５を９０度回転させるだけでロック部材６０，６５を溝から抜き取ることができるので、枠体レール２０が固定された枠体１２から化粧パネル４０を容易に取り外すことができる。図６、図７の各構成において、その他の構成及び作用は、図１〜図４Ａまたは図４Ｂと同様である。
【００３１】
図８は、別例の２例の化粧パネル７０，７２を示す斜視図である。図８（ａ）の化粧パネル７０は、アルミニウム等の金属板の複数位置に全体的に分散して穴７１が形成されたパンチングメタルにより形成される。図８（ｂ）の化粧パネル７２は、板状部材の外面に模様が描かれたり、凹凸が形成された外装材により形成される。化粧パネルは外面が無地の平坦な板材から形成されてもよい。上記の図１〜図７に示した各例の構成では、一部または全部の格子状の化粧パネル４０の代わりに、図８（ａ）または図８（ｂ）またはその他の化粧パネル７０，７２が用いられてもよい。このとき、化粧パネル７０，７２の上下方向複数位置には、引っ掛け金具４６，４６ａが固定され、それらの引っ掛け金具４６，４６ａが枠体１２に設けられた枠体レール２０の溝２０ａに係止されることで、化粧パネル７０，７２が枠体１２に対し着脱可能に取り付けられる。
【００３２】
図９は、複数の収納棚を連結する状態の１例において、化粧パネル４０（図１）を省略して示す斜視図である。図９に示すように、収納棚の枠体１２は横方向に複数個を１列に連結することにより、横方向に長い収納棚を形成することができる。このとき、横方向に隣り合う化粧パネルを連結してもよいが、各収納棚の枠体１２で前側Ｆ端及び後側Ｂ端の連結部１８の下端に柱部１４の上端または下端を連結し、前側Ｆ端及び後側Ｂ端の連結部１８の両端を化粧パネルより側方に突出させ、隣り合う収納棚で対向する連結部１８の端部を連結してもよい。このとき、前端及び後端の連結部１８の長手方向両端面に凹部または凸部を形成し、対向する連結部１８で凹凸嵌合させてもよい。
【００３３】
また、照明器具を構成する導光棒７５，７６を収納棚に固定することもできる。例えば、導光棒７５は、２つの平行な直線部と、直線部の一端を連結する直線部とにより略Ｕ字形に形成される。導光棒７５は、例えば、枠体１２の２つの柱部１４とその上端付近に配置される連結部１８とのそれぞれに形成された溝に挿入することで収納棚に固定してもよい。例えば、図１Ｂに示すように連結部１８の上端の水平方向の溝１８ａとその溝１８ａに連続する柱部１４の上下方向の溝１４ｃ（または１４ｄ）とに、導光棒７５の直交する２つの直線部を挿入することができる。
【００３４】
また、図９に示す直線状の導光棒７６を連結部１８と枠体レール２０との一方または両方の溝に挿入することで、収納棚に固定してもよい。例えば、図１Ｃに示すように、枠体レール２０の側方端または後端の溝２０ｂに導光棒７６を挿入することで収納棚に固定してもよい。各導光棒７５，７６の一端には発光ダイオード等を有する光源（図示せず）を対向させて導光棒７５，７６を全体的に発光させてもよい。光源は白熱電球等としてもよい。導光棒７５，７６は、アクリル樹脂等の透光性を有する樹脂材料またはガラス等から形成される。光源を枠体レール２０の溝に挿入することで収納棚に固定してもよい。光源には電源回路を有する分電盤等の電源装置（図示せず）から電力が供給される。電源装置には、建物の屋内等から電線を介して商用電源の電力が供給される。このような導光棒７５，７６により収納棚の一部を明るくすることができる。これにより防犯性が向上する。
【００３５】
図１０は、２つの収納棚１０を連結して、玄関先の屋外に設置した状態の１例を示す斜視図である。２つの収納棚１０，１０を横方向に連結して横方向に長い収納棚１１が形成される。このとき、２つの枠体１２が横方向に連結されて横方向に長い連結枠体を形成し、連結枠体の左右方向両端と、連結枠体の後端とに、化粧パネル４０を取り付けることにより収納棚１１を形成してもよい。収納棚１１は、玄関の扉１０２に向かって右側の壁１０１に沿うように設置され、収納棚１１の前側が扉１０２側に向いている。２つの収納棚１０のそれぞれでは、枠体１２に４つの棚板３０が配置される。各収納棚１０の枠体１２には、最上端の棚板の上側空間の開口を塞ぐように、扉８０が開閉可能に支持される。各収納棚１０の少なくとも一部の棚板３０上には傘、容器等の被収納物が配置される。一方の収納棚１０では、最下端の棚板上に宅配ボックス１０４が設置される。収納棚１１では、外面の少なくとも一部の化粧パネル４０が格子状である。これにより、図１０に示すように複数の収納棚１０が連結されて全体の外面の表面積が増加した場合でも、風が当たったときの風圧を効率的に抑制することができる。これにより、全体の外面の表面積の増大に関係なく、風が当たった場合の転倒の可能性を低くできる。
【００３６】
図１１は、２つの収納棚を連結して、玄関先の屋外に設置した状態の別例を示す斜視図である。収納棚１１の構成自体は、図１０に示した構成と同様である。図１１の設置例では、玄関先の屋外において、扉１０２の前側を挟んで壁１０３と反対側に収納棚１１が配置される。収納棚１１の開口は壁１０３に向いている。扉１０２の前側に道路１０６がある。このような設置例では、収納棚１１に設置された被収納物が道路１０６側から見えにくくなる。
【００３７】
図１２は、２つの収納棚を連結して、玄関先の屋外に設置した状態の別例を示す斜視図である。収納棚１１の構成自体は、図１０に示した構成と同様である。図１２の設置例では、玄関先の屋外において、扉１０２の前側の道路１０６との間に扉１０２の前側の一部または全部を道路１０６側から隠すように収納棚１１が配置される。収納棚１１の開口は扉１０２に向いている。このような設置例では、収納棚１１に設置された被収納物が道路側から見えにくくなるとともに、扉１０２を開けた場合に建物の内部が道路１０６側から大きく見えることを防止できるので、防犯性を向上できる。
【００３８】
図１３（ａ）は、別例の化粧パネル８２を示す斜視図であり、図１３（ｂ）は図１３（ａ）のＤ部拡大図である。本例の化粧パネル８２は、上記の各例の一部または全部の化粧パネル４０，７０，７２の代わりに枠体１２に取り付けられる。図１４は、図１３の化粧パネル８２において、ベース部材８３に対する板状部材８５の取り付け角度を変更した状態を示している図１３（ｂ）に対応する図である。
【００３９】
化粧パネル８２は、上下両端に配置された平行な２つの板状のベース部材８３と、複数の板状部材８５とを含んでいる。板状部材８５は上下方向に長尺な平板状であり、上下方向の両端に上下方向に延びる軸８６が突出している。各軸８６は、ベース部材８３において板状部材８５側の面に形成された穴に嵌合状態で挿入される。これにより、複数の板状部材８５は、上下方向の軸を中心に回転可能であり、ベース部材８３に対し角度変更可能に取り付けられている。化粧パネル８２は、ユーザが、少なくとも１つの板状部材８５におけるベース部材８３に対する取り付け角度を変更するように回転させることにより、収納棚の設置位置に関わらず収納棚の見え方を調整可能である。さらに、この取り付け角度の変更によって、化粧パネル８２が受ける風圧を調整しやすくなる。例えば、図１３の状態では、各板状部材８５が、ベース部材８３の長手方向に対し直交する方向である矢印α方向に平行になっている。この状態では板状部材８５間の隙間が大きくなっている。これにより、矢印α方向に化粧パネル８２に向かって吹き付けた風が化粧パネル８２を通過しやすくなるので、化粧パネル８２が受ける風圧が小さくなる。また、この状態で矢印α方向に見た場合に内部が見やすくなる。一方、図１４の状態では、各板状部材８５が、矢印α方向に直交するように回転して、板状部材８５間の隙間が小さくなっている。この場合、矢印α方向に化粧パネル４０に向かって吹き付けた風が化粧パネル４０を通過しにくくなるので、化粧パネル８２が受ける風圧が大きいが、化粧パネル４０を通して外側から内側の被収納物が見えにくくなる。これにより防犯性を向上できる。さらに本例の構成では化粧パネル８２の軽量化も図れる。
【００４０】
図１５は、実施形態の別例の収納棚１０ａを示す斜視図である。図１６は、図１５の収納棚１０ａにおいて、枠体１２に対し引っ掛け金具４６をスライドさせる構造の１例を示す拡大斜視図である。本例の場合には、枠体１２の右側Ｒの側方と後側Ｂとを覆う２つの化粧パネル４０が格子状であり、左側Ｌの側方を覆う化粧パネル７２は、図８（ｂ）に示した化粧パネル７２である。
【００４１】
さらに２つの格子状の化粧パネル４０の一方または両方は、枠体１２に対し水平方向にスライド可能に取り付けられている。図１５では、枠体１２の右側Ｒの側方を覆う化粧パネル４０が枠体１２に対しスライド移動されて外側に引き出されている。
【００４２】
図１６に示すように、化粧パネル４０に固定された引っ掛け金具４６において一方の板部４７の下端部には、長手方向複数位置に滑車８８が回転可能に支持されている。枠体１２に固定された枠体レール２０の上端の溝２０ａには滑車８８と一方の板部４７の下端部とが挿入され、化粧パネル４０が、枠体レール２０に対し滑車８８を転動させながら枠体レール２０に対しスムーズにスライド可能となっている。これにより、図１５のように化粧パネル４０の一部を枠体１２の外側に引き出した状態で枠体１２に化粧パネル４０を支持した状態とできる。この状態では、化粧パネル４０の道路とは反対側（図１５の紙面の裏側）に食材宅配コンテナ１０５を一時的に隠すことができる。例えば、食材宅配コンテナ１０５が棚板３０上に収容しきれない形状および大きさである場合に、地面上に食材宅配コンテナ１０５を配置するとともに、道路側とは化粧パネル４０で遮断して食材宅配コンテナ１０５を道路側から一時的に隠すことができる。これにより、本例の構成では、建物の居住者の留守中に食材宅配コンテナ１０５が気づかれにくくなり、かつ、玄関付近の景観を維持しやすい。また、収納棚１０ａの設置位置に制約がある場合でも、収納棚１０ａの外側の隠したい物を、引き出した化粧パネル４０で容易に隠すことができる。
【００４３】
なお、図１〜図４Ａの構成で、引っ掛け金具４６の一方の板部４７の下端部を、長手方向に直交する断面が下側に凸となる円弧形の曲面等とすることにより、一方の板部４７の下端を枠体レール２０の上端の溝２０ａに対しスライドしやすくする構成としてもよい。この場合には、滑車を設けることなく、化粧パネル４０が枠体１２に対しスライド可能に取り付けられた構成とすることができる。
【００４４】
上記では枠体レール２０の中心軸回りの４つの面の全部に溝が形成された場合を説明したが、枠体レール２０の上面のみに、引っ掛け金具４６を引っ掛けるための溝２０ａが形成されてもよい。
【符号の説明】
【００４５】
１０，１０ａ  屋外用収納棚（収納棚）、１１  収納棚、１２  枠体、１４  柱部、１４ａ，１４ｂ，１４ｃ，１４ｄ  溝、１８  連結部、１８ａ，１８ｂ，１８ｃ  溝、２０  枠体レール、２０ａ，２０ｂ，２０ｃ，２０ｄ  溝、３０  棚板、４０  化粧パネル、４６，４６ａ  引っ掛け金具、５０，６０，６５  ロック部材、７０，７２，８２  化粧パネル、８３  ベース部材、８５  板状部材。
【図１Ａ】
2020195495.tif 000003
【図１Ｂ】
2020195495.tif 000004
【図１Ｃ】
2020195495.tif 000005
【図２】
2020195495.tif 000006
【図３】
2020195495.tif 000007
【図４Ａ】
2020195495.tif 000008
【図４Ｂ】
2020195495.tif 000009
【図５Ａ】
2020195495.tif 000010
【図５Ｂ】
2020195495.tif 000011
【図６】
2020195495.tif 000012
【図７】
2020195495.tif 000013
【図８】
2020195495.tif 000014
【図９】
2020195495.tif 000015
【図１０】
2020195495.tif 000016
【図１１】
2020195495.tif 000017
【図１２】
2020195495.tif 000018
【図１３】
2020195495.tif 000019
【図１４】
2020195495.tif 000020
【図１５】
2020195495.tif 000021
【図１６】
2020195495.tif 000022